(57)【要約】【課題】通行者が持ち込む危険物等を入場時に登録することで、危険物の持ち込みを禁止するエリアへの通行制限をかける通行管理システムを提供する。【解決手段】通行管理領域の受付に設けられた個人識別端末１ａ、通行管理領域内の各エリアに設けられ個人識別情報読取りと共にエリアの扉施解錠制御を行う持ち込み物制限レベルが設定された個人識別装置２ａ、２ｂがセンター装置１にネットワーク６接続され、通行者入場時の受付の個人識別端末で読取られた通行者の個人識別情報とオペレータに入力された該通行者の持ち込み物レベルからなる個人情報登録データを作成し各個人識別装置に配信し、各個人識別装置で通行者の個人識別情報を読取ると読取った個人識別情報が配信された個人情報登録データにありかつこれの対応する持ち込み物レベルが該個人識別装置に設定された持ち込み物制限レベルより小さい時に扉を一定時間解錠させる。【選択図】図１
2005141690.tif 000002
【特許請求の範囲】
【請求項１】
内部が複数エリアに分割されてなる通行管理領域への通行者の入場、退場場所となる受付に設けられ通行者の個人識別情報を読み取る個人識別端末と、上記通行管理領域内の各エリアの少なくとも入口側に設けられ通行者の個人識別情報を読み取ると共に該エリアの扉の施解錠制御を行い、さらに該エリアに対する持ち込み物制限レベルが設定されている個人識別装置と、がネットワークにより通行管理のセンター装置に接続されてなる通行管理システムであって、
通行者の入場の際に上記受付の個人識別端末で読み取られた通行者の個人識別情報とオペレータにより入力される該通行者の持ち込み物レベルとからなる個人情報登録データを作成して各個人識別装置に配信する手段と、
上記各個人識別装置において通行者の個人識別情報が読み取られると、読み取られた個人識別情報が配信された上記個人情報登録データにありかつ上記データの対応する持ち込み物レベルが該個人識別装置に設定された持ち込み物制限レベルより小さいと判定された時に扉を一定時間解錠させる手段と、
を備えたことを特徴とする通行管理システム。
【請求項２】
上記通行管理領域内の所定領域を撮影する上記ネットワークに接続された映像監視装置と、上記各個人識別装置での施解錠の判定結果または通行者の上記個人情報登録データの持ち込み物レベルに基づき上記映像監視装置を駆動させる手段をさらに備えたことを特徴とする請求項１に記載の通行管理システム。
【請求項３】
上記ネットワークに接続された上記受付に設けられた表示装置と、通行者の退場の際に上記受付の個人識別端末で読み取られた通行者の個人識別情報に対応する上記個人情報登録データの持ち込み物レベルを上記表示装置に表示させる手段と、をさらに備えたことを特徴とする請求項１または２に記載の通行管理システム。
【発明の詳細な説明】
【技術分野】
【０００１】
本発明は、建物内等の通行者の各エリアへの通行管理、特にその通行者の持ち込み物を考慮して通行を管理する通行管理システムに関するものである。
【背景技術】
【０００２】
従来の通行管理システムでは、各エリアの扉の入口もしくは入口および出口にカードリーダーなど個人識別装置を設置し、個人が所持するＩＤカードなどにより、予め登録されたカード番号情報と照らし合わせた結果、さらには、予め登録された通行者の権限や時間帯により通行の可否を判断している。
【０００３】
【特許文献１】特開平５−２３１０５４号公報
【発明の開示】
【発明が解決しようとする課題】
【０００４】
従来の技術では、権限のある通行者は、予め定められた時間等において常に通行することが可能であり、例えば、火気厳禁エリアへの危険物持ち込みなど、持ち込み物における通行制限をかけることは不可能であった。さらに持ち込んだ危険物の搬出を忘れるなど、危険物のエリア内放置を防止することが不可能であった。
【０００５】
この発明は、上述した課題を解消するためになされたもので、通行者が持ち込む危険物等を入場時に登録することで、危険物の持ち込みを禁止するエリアへの通行制限をかける、さらにその通行者が通行するエリアを管理し、カメラ連動などにより通行者を追跡する、持ち込んだ危険物のレベル等を表示することで、退場時に保安員等が搬出を管理する、等を可能にした通行管理システムを提供することを目的とする。
【課題を解決するための手段】
【０００６】
上記の目的に鑑み、この発明は、内部が複数エリアに分割されてなる通行管理領域への通行者の入場、退場場所となる受付に設けられ通行者の個人識別情報を読み取る個人識別端末と、上記通行管理領域内の各エリアの少なくとも入口側に設けられ通行者の個人識別情報を読み取ると共に該エリアの扉の施解錠制御を行い、さらに該エリアに対する持ち込み物制限レベルが設定されている個人識別装置と、がネットワークにより通行管理のセンター装置に接続されてなる通行管理システムであって、通行者の入場の際に上記受付の個人識別端末で読み取られた通行者の個人識別情報とオペレータにより入力される該通行者の持ち込み物レベルとからなる個人情報登録データを作成して各個人識別装置に配信する手段と、上記各個人識別装置において通行者の個人識別情報が読み取られると、読み取られた個人識別情報が配信された上記個人情報登録データにありかつ上記データの対応する持ち込み物レベルが該個人識別装置に設定された持ち込み物制限レベルより小さいと判定された時に扉を一定時間解錠させる手段と、を備えたことを特徴とする通行管理システムにある。
【発明の効果】
【０００７】
この発明においては、通行者の個人識別情報登録時に、持ち込み物をレベル別に登録することで持ち込み物を管理することが可能であり、通行の際、登録された持ち込み物レベルと、移動先のエリアに予め設定されている持ち込み物制限レベルとの比較により、火気厳禁区域内などへの、危険物の持ち込みを防ぐことができる。また、映像監視装置を連動させることで危険物等を持ち込んだ通行者が何処を通行しようとしているか正確に判断することができる。さらに退場の際、個人識別情報と共に入場の際に登録した持ち込み物レベルを表示することで危険物等を持ち込んだ通行者が危険物の搬出を正しく行っているかを判断することができる。
【発明を実施するための最良の形態】
【０００８】
実施の形態１．
図１はこの発明の一実施の形態による通行管理システムの構成を示す図である。図１において、コンピュータ等からなるセンター装置１は通行管理領域への通行者の入場、退場場所となる受付等に設けられ、受付で通行者の個人識別情報を読み取る個人識別端末１ａ、オペレータが後述する持ち込み物レベル等を入力するための入力装置１ｂ、個人識別情報や持ち込み物レベル等の情報を表示するための表示装置１ｃおよび本体１ｄを備え、ネットワーク６を介して各装置に接続されて通行管理システム全体の管理制御を行う。個人識別装置２ａ、２ｂは通行管理領域内の各エリアの少なくとも入口側に設けられ通行者の個人識別情報を読み取ると共に該エリアの扉の電気錠３ａ、３ｂの施解錠制御を行う。各個人識別装置２ａ、２ｂはメモリ２ａａ、２ｂａ、表示部２ａｂ、２ｂｂをそれぞれ備え、またそれぞれ設けられたエリア(すなわち通行者の移動先のエリア)に対する持ち込み物制限レベルが設定されている。ビデオカメラ４ａ、４ｂは通行管理領域内の例えば所定エリアの扉近辺等の所定領域を撮影する映像監視装置を構成するものである。ビデオカメラ４ａ，４ｂは録画機能付きのものが好ましい。また個人識別端末１ａはセンター装置１に含まれていても、破線で示すように直接、ネットワーク６に接続されていてもよい。
【０００９】
図２は図１の各装置の配置を通行管理領域である例えば実際の建物の平面図を例に図示したものであり、各エリアに入る際、個人識別装置２ａ、２ｂが存在し、それぞれ電気錠３ａ、３ｂを制御する。
【００１０】
図３はセンター装置１から個人識別装置２ａ、２ｂへ配信される個人情報登録データをテーブル化したものの一例を示すもので、各個人識別装置２ａ、２ｂのメモリ２ａａ、２ｂａにはこのような状態で配信された個人情報登録データが蓄積格納されている。図３は個人識別にＩＤカード(特に図示せず)を使用した場合の例であり、個人情報登録データは個人識別情報としてのカードから読み取られた個人カード番号とオペレータにより入力された持ち込み物レベルからなる。
【００１１】
図４は各個人識別装置２ａ、２ｂに予め設定された持ち込み物制限レベルの一例を示す。
【００１２】
次にセンター装置１での動作を図５の動作フローチャートに従って説明する。なお以下では個人識別情報として通行者が携帯するＩＤカードの個人カード番号を使用した場合について説明する。受付にいるオペレータ(図示せず)が通行者の入場、退場処理を行う際、入力装置１ｂの操作により、入場、退場の選択操作を行う(ステップＳ１０１)。入場時には、その通行者の個人情報を登録する。通行者が携帯しているＩＤカードから個人識別端末１ａにより個人カード番号(ＩＤ)を読み取って個人識別情報として登録し、また該通行者の所持品に基づきオペレータが入力装置１ｂにより持ち込み物レベルを入力して登録する。持ち込み物レベルは例えば、持ち込み物無しであれば”０”、危険性の低い物があれば”１”、危険性の高い持込物は”２”を入力し、図３に示すようなテーブルを作成する(ステップＳ１０２)。そして新に作成された個人カード番号と持ち込み物レベルとからなる個人情報登録データは各個人識別装置２ａ、２ｂに配信されメモリ２ａａ、２ｂａに蓄積格納される(ステップＳ１０３)。なお個人情報登録データはセンター装置１にも蓄積格納される。
【００１３】
退場時には、個人識別端末１ａで退場する通行者のＩＤカードから個人カード番号を読み取り(ステップＳ１０４)、入場時に登録されている個人情報登録データに基づき対応する持ち込み物レベルを求めて表示装置１ｃに表示する(ステップＳ１０５)。これによりオペレータは退場する通行者の持ち込んだ危険物等の搬出を確認できる。
【００１４】
次に各個人識別装置２ａ、２ｂでの動作を図６の動作フローチャートに従って説明する。各個人識別装置２ａ、２ｂは通行者のＩＤカードを検知すると(ステップＳ２０１)、そのカードの個人カード番号を読み取る(ステップＳ２０２)。そして読み取られた個人カード番号がメモリ２ａａ、２ｂａに記憶されすでに登録されているか否かを確認する(ステップＳ２０３)。登録が無ければ通行不正のエラー表示を表示部２ａｂ、２ｂｂに表示し解錠をせず、通行を拒否する(ステップＳ２０４)。
【００１５】
一方、登録があれば次に持ち込み物レベル判定を行い、各個人識別装置２ａ、２ｂに予め設定されている個人識別装置が設けられているエリア(通行者の移動先エリア)の持ち込み物制限レベル(図４参照)とメモリ２ａａ、２ｂａの個人情報登録データの個人カード番号に対する持ち込み物レベルとの比較を行う(ステップＳ２０５)。そして持ち込み物レベル≧持ち込み物制限レベル、すなわち持ち込み禁止物を所持する通行者の場合には、表示部２ａｂ、２ｂｂに警告を表示し解錠をせず、通行を拒否すると共に(ステップＳ２０６)、映像監視装置としてのビデオカメラ４ａ、４ｂを駆動させて例えば該エリアの扉近辺等の所定領域を撮影して録画し、該通行者の映像による追跡監視を行う(ステップＳ２０７)。また、持ち込み物レベル＜持ち込み物制限レベル、すなわち持ち込み物が許可されている場合には、電気錠３ａ、３ｂを一時解錠して通行者に通行を許可する(ステップＳ２０８)。
【００１６】
なお、図５のステップＳ１０２〜Ｓ１０３が個人情報登録データを配信する手段に相当し、図６のステップＳ２０１〜Ｓ２０８が扉を一定時間解錠させる手段に相当し、図６のステップＳ２０５〜Ｓ２０７が映像監視装置を駆動させる手段に相当し、図５のステップＳ１０４〜Ｓ１０５が個人情報登録データの持ち込み物レベルを表示装置に表示させる手段に相当する。
【００１７】
また上記実施の形態では個人識別情報としてＩＤカードのカード番号を使用し、従って個人識別端末１ａおよび個人識別装置２ａ、２ｂをカードのリーダライタとして説明しているが、個人識別情報として指紋や顔認証などのバイオメトリック情報を利用したものでもよく、その場合に個人識別端末１ａおよび個人識別装置２ａ、２ｂはこれらのリーダライタとなる。
【００１８】
また上記実施の形態では持ち込み物レベルとして持ち込み物の危険度等を示すレベルのみを入力しているが、その他に危険物の個数や詳細情報を入力して、退場時に表示するようにしてもよい。
【００１９】
また上記実施の形態ではビデオカメラ４ａ、４ｂによる映像監視は持ち込み物レベルが持ち込み物制限レベル以上である時のみに行っているが、制限レベルとの比較による通行の許可、拒否に係わらず、持ち込み物レベルに基づいて映像監視を行うか否かを選択するようにしてもよい。
【００２０】
また上記実施の形態では図５および図６に示すようにセンター装置と各個人識別装置での処理を分担しているがこれは一例に過ぎず、例えばセンター装置でデータ管理および処理を集中して行い最終的な判定結果のみを各個人識別装置にそれぞれ送るようにしてもよい。さらに受付にはセンター装置の個人識別端末、入力装置および表示装置があればよく、本体１ｄの機能はネットワーク６に接続された別のコンピュータに設けてもよい。
【図面の簡単な説明】
【００２１】
【図１】この発明の一実施の形態による通行管理システムの構成を示す図である。
【図２】図１の各装置の配置を通行管理領域である例えば実際の建物の平面図を例に示した図である。
【図３】この発明における個人情報登録データをテーブル化したものの一例を示す図である。
【図４】この発明における各個人識別装置に予め設定された持ち込み物制限レベルの一例を示す図である。
【図５】この発明におけるセンター装置での動作の一例を示すフローチャートである。
【図６】この発明における各個人識別装置での動作の一例を示すフローチャートである。
【符号の説明】
【００２２】
１  センター装置、１ａ  個人識別端末、１ｂ  入力装置、１ｃ  表示装置、１ｄ  本体、２ａ，２ｂ  個人識別装置、２ａａ，２ｂａ  メモリ、２ａｂ，２ｂｂ  表示部、３ａ，３ｂ  電気錠、４ａ，４ｂ  ビデオカメラ、６  ネットワーク。
【図１】
2005141690.tif 000003
【図２】
2005141690.tif 000004
【図３】
2005141690.tif 000005
【図４】
2005141690.tif 000006
【図５】
2005141690.tif 000007
【図６】
2005141690.tif 000008